(57)【特許請求の範囲】
【請求項１】
パケット化信号の伝送を行う伝送路、
前記伝送路に接続され、
入力されたデータと音声信号をディジタル的に統合化されたデータ／音声信号に変換する、データ／音声入力処理部と、
前記データ／音声信号に宛先データを付加してパケット化信号を生成するパケット化処理部と、
前記他局で生成され前記伝送路を経て送り込まれたパケット化信号のうち、自局向けのものを前記宛先データにもとずいて抽出すると共にデータ／音声信号に変換するパケット化データ取り出し処理部と、
前記パケット化データ取り出し処理部が変換した互いに異なる複数の他局からの複数の前記データ／音声信号を取り込み、互いに加算すると共に、前記データ／音声入力処理部からの自局を宛先データで指定したデータ／音声信号を加算する加算処理部と、
この加算処理部に取り込まれた前記データ／音声信号からデータと音声信号をそれぞれ抽出処理するデータ／音声出力処理部とを有する複数の局装置とを備え、
各局が複数の相手局との間でデータと音声信号とによるやり取りを行うようにしたことを特徴とするデータ／音声伝送システム。
【請求項２】
前記局装置は、パケット化信号の前記宛先データを含むヘッダー部に共通部分があるパケット化信号はヘッダ部を共通化してパック化するパック化処理部と、
前記他局で生成され前記伝送路を経て送り込まれたパケット化信号のうち、パック化されたパケット化信号については通常のパケット化信号に戻すアンパック化処理を行うアンパック化処理部とを備えたものであることを特徴とする請求項１に記載のデータ／音声伝送システム。
【請求項３】
前記伝送路は、リング型ネットワークであることを特徴とする請求項１又は請求項２に記載のデータ／音声伝送システム。
【請求項４】
前記伝送路は、スター型ネットワークであることを特徴とする請求項１又は請求項２に記載のデータ／音声伝送システム。
【請求項５】
前記伝送路は、バス型ネットワークであることを特徴とする請求項１又は請求項２に記載のデータ／音声伝送システム。
【発明の詳細な説明】
【０００１】
【発明の属する技術分野】
この発明は、複数の局とこれをつなぐ伝送路で構成するネットワークにおけるデータ／音声信号の伝送システムに関するものである。
【０００２】
【従来の技術】
従来の方式を図８にもとずいて説明する。図８において１２０は主局、１２１、１２２は従局、１２３は主局１２０と従局１２１、１２２をつなぐネットワーク用の伝送路である。また、１２４は、加算用スロット１２５、読み出し用スロット１２６からなるデータフレームである。
【０００３】
次に動作を説明する。主局１２０はデータフレーム１２４を生成し伝送路１２３を経て従局１２１、１２２に向け送り出す。従局１２１、１２２は、このデータフレーム１２４が送られてくる毎に、送り出すデータ／音声情報がある場合は、その情報を宛先データ、発信データ等を付したパケット化信号に変換してデータフレーム１２４の加算スロット１２５に書き込み加算する。このパケット化信号は主局１２０で検出され、読み出しスロット１２６に書き移されて、再び従局１２１、１２２に送られる。従局では、常に読み出しスロットで読み出す体制にあり、自局向け宛先の付いたパケット化信号を取り込み、自局宛てに送り込まれたデータ／音声情報の読み取りを行う。
また、例えば３つ以上の局間で多局間音声通話を行う場合には、各局からのパケット化信号を主局で１つのデータフレーム１２４の読み出しスロット１２６にまとめて送信することにより、従局では複数の局の音声信号を同時に聞くことが可能となる。したがって、このような多局間音声通話では主局の存在が不可欠であった。
【０００４】
【発明が解決しようとする課題】
従来のデータ／音声伝送システムは以上のように構成されていたので、全てのデータ／音声が伝送路に流れるため、主局が過負荷になりやすい。主局１２０が過負荷になると処理遅延が発生するとか、主局１２０で故障が発生するとシステムが停止してしまうなど、抗たん性に関し問題があった。また、主局１２０からのデータフレームの再送が遅れると各従局が読み出しスロットからデータ／音声信号を取得するのに時間がかかる、など処理速度に関する問題もあった。
【０００５】
この発明は上記の問題を解決するためになされたものであり、伝送路に流れるデータ／音声を減らすことにより、抗たん性に優れるとともに、データ／音声処理速度を向上したデータ／音声伝送システムを得ることを目的とする。
【０００６】
【課題を解決するための手段】
上記問題を解決するため、この発明にかかるデータ／音声伝送システムは、パケット化信号の伝送を行う伝送路、前記伝送路に接続され、
入力されたデータと音声信号をディジタル的に統合化されたデータ／音声信号に変換するデータ／音声入力処理部と、
前記データ／音声信号に宛先データを付加してパケット化信号を生成するパケット化処理部と、
前記他局で生成され前記伝送路を経て送り込まれたパケット化信号のうち、自局向けのものを前記宛先データにもとずいて抽出すると共にデータ／音声信号に変換するパケット化データ取り出し処理部と、
前記パケット化データ取出し処理部が変換した互いに異なる複数の他局からの複数の前記データ／音声信号を取り込み、互いに加算すると共に、前記データ／音声入力処理部からの自局を宛先データで指定したデータ／音声信号を加算する加算処理部と、
この加算処理部に取り込まれた前記データ／音声信号からデータと音声信号をそれぞれ抽出処理するデータ／音声出力処理部とを有する複数の局装置とを備え、
各局が複数の相手局との間でデータと音声信号とによるやり取りを行うようにしたものである。
【０００７】
また、前記局装置は、パケット化信号の前記宛先データを含むヘッダー部に共通部分があるパケット化信号はヘッダ部を共通化してパック化するパック化処理部と、
前記他局で生成され前記伝送路を経て送り込まれたパケット化信号のうち、パック化されたパケット化信号については通常のパケット化信号に戻すアンパック化処理を行うアンパック化処理部とを備えたものである。
【０００８】
また、この方法によるパケット化信号のやり取りは、通信をリング型ネットワーク、スター型ネットワーク、あるいはバス型ネットワークなどの伝送路を使って行うようにしたものである。
【０００９】
【発明の実施の形態】
実施の形態１．
以下この発明の実施の形態１について、図１および図２にもとづき説明する。図１において、 １−１，１−２，１−３はそれぞれ送受信機能を有し、ネットワークを構成する各局装置、２−１，２−２，２−３はそれぞれ前記各局装置１−１，１−２，１−３から発信されるパケット化信号、３はネットワークを構成する伝送路である。また図２は、ネットワークを構成する各局装置の１つを取り上げて図示している。
図において、１は局装置であって、伝送路３から、他局データ／音声信号にかかるパケット化信号１ａが入力されて、自局データ／音声信号にかかるパケット化信号１ｂが出力される。 ２ａはデータ／音声出力端子、２ｂはデータ／音声入力端子であって、自局宛又は自局発のデータと音声信号の入出力を行う。 １０はパケット化データ取り出し処理部、１１は加算処理部、１２はデータ／音声出力処理部、１３はデータ／音声入力処理部、１４はパケット化処理部である。以下にその機能を説明する。
【００１０】
次に動作について説明する。各局から発信される信号は図３に示すように、データおよび音声信号はデータ／音声入力処理部１３でディジタル的に統合化されたデータ／音声信号に変換する。そして、図３に示すように、データ／音声信号５１に、宛先を示す宛先データ５２、このパケット信号の制御処理条件等を示す制御データ５３、発信元情報等を示す発信区分データ５４を付けてパケット化した信号構成とする。任意の局１−１，１−２，１−３から送信されたパケット化信号２−１，２−２，２−３は伝送路３を経てパケット化信号の宛先データで指定された局装置に伝送さる。宛先データで指定された局装置では、このパケット化された信号を当該局装置に保有するパケット化データ取り出し処理部１０で抽出し、データ／音声信号が出力される。そして、自局を宛先データで指定した各局からデータ／音声信号は加算処理部１１に取り込まれて加算される。データ／音声出力処理部１２では各局からのデータ／音声信号が出力処理をされてそれぞれデータと音声信号に変換されて、データ／音声出力端子２ａから出力される。
また、データ／音声入力端子２ｂから取り込まれた自局装置からのデータおよび音声信号はデータ／音声入力処理部１３でディジタル的に統合化されたデータ／音声信号に変換処理され、加算処理部１１にて他局データ／音声信号に加算されると共に、パケット化処理部１４に導かれ、パケット化されて伝送路３に送り出される。このようにして、 各局装置は任意の相手局装置との間で直接交信することができる。
【００１１】
実施の形態２．
次に、実施の形態２について説明する。図４は実施の形態２に係る構成図である。図４において図２と同じ符号を付したものは同一内容又は機能のものを示す。１５はアンパック化処理部、１６はパック化処理部である。複数のパケット化信号を取り扱う場合に、パケット化信号のヘッダ領域( データ／音声信号以外の領域）を複数のデータ／音声信号について共通利用することにより、伝送するデータ量の低減を図るようにしようというのが、パック化である。以下パック化を適用した実施の形態２について詳しく説明する。
【００１２】
まず、パック化信号について、図５に示すデータ／音声信号が３つの例を説明する。３
つのデータ／音声信号６１ａ、６１ｂ、６１ｃと、それぞれの発信区分データ６４ａ、６４ｂ、６４ｃに対し、１組の宛先データ６２、と制御データ６３が用意され、パック化されたパケット化信号が形成され、局装置１から送り出される。同じ様にして他の局装置でパック化されたパケット信号は、伝送路３を経て局装置１に到来しアンパック化処理部１５でパック化が解除され、パケット化信号に戻される。そして、パケット化データ取りだし処理部１０で自局装置向けのデータ／音声信号が抽出される。このようにして得られた他の各局装置からのデータ／音声信号が加算処理部１１で加算される。以下の処理は実施の態様１と同様にしてデータと音声信号を出力端子２ａに出力する。また、自局から他局
に送られるデータと音声信号は入力端子２ｂから取り込まれ、実施の形態１と同様に、ディジタル的に統合化され、加算処理部１１にて他局データ／音声信号に加算されると共にパケット化処理される。そして、複数のデータ／音声信号についてヘッダ部を共通化してパック化し、伝送路３へ送り出される。このようにパック化を施すと、個々のデータ／音声信号に対しヘッダ部を用意する場合に比べ、伝送するデータ長を短くできるので、 伝送効率を高めることができる。
【００１３】
以上はリング型ネットワークの伝送路の場合を説明したが、宛先コードが自局装置向けのパッケト化信号を取り込んでデータ／音声信号をとりだし、加算してデータと音声を復元する構成であるので、図６に示すスター型ネットワーク、図７に示すバス型ネットワークにも同様に適用できる。図６、図７において、図１と同符号のものは図１の同じか相当品を示す。すなわち、１−１〜１−５は各局装置、２−１〜２−３はパッケト化信号、３−２は各局装置をスター状に繋いでいる伝送線、３−３は各局装置をバス状に繋いでいる伝送線である。このように、実施の形態１と同じく、伝送線から、自局装置向けパケット信号を取り込み、またパケット化信号を他局局装置に向けて発信する構成であるので、任意の相手局と直接交信することができ、抗たん性問題や処理速度の改善の他、実施の形態２で説明したように、 ヘッダ部を共通化してパック化し伝送するデータ長を短くし、伝送効率を高めることができる。
【００１４】
【発明の効果】
以上説明したように、この発明に係るデータ／音声伝送システムは、入力されたデータおよび音声信号をディジタル的に統合化し、他局向けのものは宛先データを付けてパケット化信号に変換して送り出すと共に、自局向けのものは直接加算処理部へ送り出す。また伝送路を経て他局から送られてきた複数のパケット化信号から宛先データにもとずいて自局向けの複数のパケット化信号を取り込み、そのパケット化信号のデータ／音声信号に前記自局向けのものを加算してからデータと音声信号を抽出するようにしたので、自局向けのデータ／音声は伝送路に送り出されることがなく、伝送路の輻輳が軽減される。また各局がそれぞれ独立して特定相手局との間でデータおよび音声信号によるやり取りを行うことが出来、従来方式の欠点である抗たん性の問題や処理速度の改善を図る効果がある。
【００１５】
また、送信側で複数のデータ／音声信号についてヘッダ部を共通化してパック化処理をしたパケット信号にして送信し、 受信側でパケット化信号のうちパック化されたパケット化信号については通常のパケット化信号に戻すアンパック化処理を行って通常のパケット化信号に戻し、他局からの前記データ／音声信号を抽出するようにしたので、ヘッダ部のデータ量が少なくて済み伝送効率の向上が図れる効果がある。
【００１６】
また、伝送路はリング型ネットワーク、スター型ネットワーク、またはバス型ネットワークに適用し、同様な効果を得られる。
【図面の簡単な説明】
【図１】この発明に係るデータ／音声伝送システムの構成の説明図である。
【図２】実施の形態１にかかる局構成図である。
【図３】実施の形態１のパケット化信号の説明図である。
【図４】実施の形態２にかかる局構成図である。
【図５】実施の形態２のパケット化信号の説明図である。
【図６】この発明に係るデータ／音声伝送システムの構成の説明図である。
【図７】この発明に係るデータ／音声伝送システムの構成の説明図である。
【図８】従来例の説明図である。
【符号の説明】
１  局装置、    １ａ  パケット化他局データ／音声信号、
１ｂ  パケット化自局データ／音声信号、
２ａ  出力端子、    ２ｂ  入力端子、
１０  パケット化データ取出処理部、    １１  加算処理部、
１２  データ／音声出力処理部、    １３  データ／音声入力処理部、
１４  パケット化処理部、  １５  アンパック化処理部、    １６  パック化処理部、
３  伝送路、    ５０  パケット化信号、    ５１  データ／音声信号、
５２  宛先データ、    ５３  制御データ、  ５４  発信区分データ、
６０  パック化パケット信号、
６１ａ、６１ｂ、６１ｃ  各、データ／音声信号、
６２  宛先データ、  ６３制御データ、
６４ａ、６４ｂ、６４ｃ  データ／音声信号対応の発信区分データ、
１−１〜１−５  局装置、    ２−１〜２−３  パケット化信号、
３−２、３−３  伝送路。
【図１】
0003600775.tif 000002
【図２】
0003600775.tif 000003
【図３】
0003600775.tif 000004
【図４】
0003600775.tif 000005
【図５】
0003600775.tif 000006
【図６】
0003600775.tif 000007
【図７】
0003600775.tif 000008
【図８】
0003600775.tif 000009